(57)【特許請求の範囲】
【請求項１】
山形の可撓接片を底部側に内設した角筒状の端子接続部内に相手側端子を受け入れる接続端子において、前記端子接続部の天板には、軸方向に延在して前記相手側端子の上面の片側に面接触する第１の接触部と、該第１の接触部と平行に軸方向に延在する膨出部を形成し該膨出部の頂点に設け前記相手側端子の上面の他側に点接触する第２の接触部とを備え、前記可撓接片の頂部には前記相手側端子の下面に点接触する第３の接触部を設け、前記第２の接触部と前記第３の接触部の点接触位置を同一横断面位置に設けたことを特徴とする接続端子。
【請求項２】
前記可撓接片の底部側に前記可撓接片の過剰な変形を規制する規制部を設けた請求項１に記載の接続端子。
【発明の詳細な説明】
【０００１】
【発明の属する技術分野】
本発明は、山形の可撓接片を内設した角筒状の端子接続部内に、平刃状の相手側端子を嵌合する接続端子に関するものである。
【０００２】
【従来の技術】
従来のこの種の接続端子は、一般に図５、図６に示すように構成されており、角筒状の端子接続部１には山形の可撓接片２が内設され、端子接続部１の一方の側板３から水平に折曲された天板４の陥凹部５には、他方の側板６から折曲された突片７が嵌合されている。陥凹部５の低壁の下面は天板４に平行な平面とされ、図示しない相手側端子の上面に接触する第１の接触部８とされている。また可撓接片２の頂部は、相手側端子の下面に接触する第２の接触部９とされている。これにより、端子接続部１の内部に相手側端子が挿入された際には、相手側端子に対して第１の接触部８は面接触し、第２の接触部９は線接触する。
【０００３】
【発明が解決しようとする課題】
しかしながら上述した従来例では、相手側端子に対して第１の接触部８が面接触すると共に、第２の接触部９が線接触するので、接点が不明確になる。このため、端子接続部１や相手側端子が酸化して電流が同一の接点に流れなくなると、電圧を降下させてしまうという問題点がある。
【０００４】
また、相手側端子に対して第１の接触部８が面接触し、第２の接触部９が線接触するので、それらの間の摩擦が大きくて相手側端子を円滑に受け入れることが困難になっている。
【０００５】
本発明の目的は、上述した問題点を解消し、明確な接点を有して相手側端子に安定して接触し得ると共に、相手側端子を円滑に受け入れることができる接続端子を提供することにある。
【０００６】
【課題を解決するための手段】
上記目的を達成するための本発明に係る接続端子は、山形の可撓接片を底部側に内設した角筒状の端子接続部内に相手側端子を受け入れる接続端子において、前記端子接続部の天板には、軸方向に延在して前記相手側端子の上面の片側に面接触する第１の接触部と、該第１の接触部と平行に軸方向に延在する膨出部を形成し該膨出部の頂点に設け前記相手側端子の上面の他側に点接触する第２の接触部とを備え、前記可撓接片の頂部には前記相手側端子の下面に点接触する第３の接触部を設け、前記第２の接触部と前記第３の接触部の点接触位置を同一横断面位置に設けたことを特徴とする。
【０００７】
【発明の実施の形態】
本発明を図１〜図４に図示の実施例に基づいて詳細に説明する。
図１は実施例の平面図、図２は縦断面図、図３は横断面図であり、相手側の図示しない平刃状の挿込端子を接続する端子接続部１１と、図示しない電線の芯線を固定する芯線固定部１２と、電線の被覆を固定する被覆固定部１３とが順次に形成されている。
【０００８】
端子接続部１１は角筒状とされ、底板１４の両側から側板１５、１６がそれぞれ立ち上げられ、側板１５、１６から天板１７、１８が内側にそれぞれ折曲され、天板１７、１８同士は突き合わされている。一方の天板１７の内面には、軸方向に延在し挿込端子の上面に接触する第１の膨出部１９が設けられている。第１の膨出部１９の側面は逆台形とされ、下面は天板１７に平行な平坦面とされている。また、第１の膨出部１９の前部は挿込端子を下方に案内する案内部１９ａとされ、この案内部１９ａの後方は挿込端子に面接触する第１の接触部１９ｂとされている。
【０００９】
他方の天板１８の内面には、図１のＡ−Ａ線に沿って切断した図４の断面図に示すように、軸方向に延在し挿込端子の上面に接触する第２の膨出部２０が設けられている。この第２の膨出部２０は条状とされ、断面は半円形状とされている。また、第２の膨出部２０の側面は逆山形とされており、前部は挿込端子を下方に案内する案内部２０ａとされ、この案内部２０ａに続く頂部は挿込端子に点接触する第２の接触部２０ｂとされている。
【００１０】
更に、端子接続部１１の内部の底板１４側には山形の可撓接片２１が設けられ、この可撓接片２１の前端の折曲部２１ａは底板１４の前端に係止された上で、底板１４の端部から折り返された押さえ片２２により押さえられている。可撓接片２１の頂部には、挿込端子の下面に接触する第３の膨出部２３が設けられている。この第３の膨出部２３の上部は半球面状とされ、前面は挿込端子を円滑に案内する案内部２３ａとされる共に、上面は挿込端子に点接触する第３の接触部２３ｂとされている。そして、第２の接触部２０ｂと第３の接触部２３ｂは、同一横断面位置に位置するように設けられている。なお、可撓接片２１の下方において底板１４が内方に膨出され、可撓接片２１の過剰な変形を防止するための規制部２４が形成されている。
【００１１】
このような構成により、端子接続部１１の内部に相手側の平刃状の挿込端子が挿入されると、各案内部１９ａ、２０ａ、２３ａは挿込端子を案内しながら、第１、第２の接触部１９ｂ、２０ｂと第３の接触部２３ｂの間に挿込端子を導く。このとき、可撓接片２１は弾発力により挿込端子を上方へ付勢し、挿込端子の上面には第１の接触部１９ｂが面接触すると共に第２の接触部２０ｂが点接触し、挿込端子の下面には第３の接触部２３ｂが点接触する。
【００１２】
従って、この実施例では挿込端子との接点が明確になると共に、第１の接触部１９ｂの２点と第２の接触部２０ｂとにより、水平面の仮想的な３点において挿込端子に接触することが可能になり、挿込端子の姿勢の安定化を確保することができる。
【００１３】
また、第２の接触部２０ｂと第３の接触部２３ｂを同一横断面位置に設けることにより、挿込端子に接触部１９ｂ、２０ｂ、２３ｂが垂直面内の３点において圧接し、挿込端子を安定的に保持することができ、接触の安定を確保することが可能になる。更に、挿込端子に同一接点において安定して接触することができるので、端子接続部１１や挿込端子が酸化した場合でも、接触不良よる電圧降下を防止することが可能になる。
【００１４】
そして、端子接続部１１は案内部１９ａ、２０ａ、２３ａを有するので、挿込端子を容易に接続することができ、接触部１９ｂ、２０ｂ、２３ｂが挿込端子に少ない面積で接触するので、それらの間の摩擦が減少して挿込端子を円滑に接続することが可能になる。
【００１５】
なお、実施例の点接触という用語は、或る程度の面積を有して接触することを意味している。また、天板１７、１８同士を突き合わせたが、天板１７、１８同士を重ね合わせてもよい。この場合には、下方の天板１７又は天板１８に第１の接触部１９ｂと第２の接触部２０ｂを設けることになる。
【００１６】
そして、第２の接触部２０ｂの断面を半円形状とし、第３の接触部２３ｂを半球面形状としたが、挿込端子を良好に案内して点接触し得る形状であれば、その他の任意の形状とすることができる。
【００１７】
【発明の効果】
以上説明したように本発明に係る接続端子は、相手側端子の上面に第１の接触部が面接触すると共に第２の接触部が点接触し、更に相手側端子の下面に第３の接触部が点接触するので、相手側端子との接点が明確になり、相手側端子に安定して接続することができる。
【図面の簡単な説明】
【図１】実施例の平面図である。
【図２】縦断面図である。
【図３】横断面図である。
【図４】図１のＡ−Ａ線に沿って接断した断面図である。
【図５】従来例の縦断面図である。
【図６】従来例の横断面図である。
【符号の説明】
１１  端子接続部
１７、１８  天板
１９ｂ  第１の接触部
２０ｂ  第２の接触部
２１  可撓接片
２３ｂ  第３の接触部
【図１】
0003717997.tif 000002
【図２】
0003717997.tif 000003
【図３】
0003717997.tif 000004
【図４】
0003717997.tif 000005
【図５】
0003717997.tif 000006
【図６】
0003717997.tif 000007